(57)【要約】【課題】視聴中に中断されたデジタル放送番組の視聴を、少なくとも中断箇所から再視聴することを可能とする。【解決手段】受信処理部３１でユーザ指定の選局により放送番組が受信されているとする。この状態で、視聴不可状態検知処理部３２では、受信データの取得状況から視聴不可の発生を監視している。何らかの要因で視聴不可となった場合、視聴不可状態の情報が視聴不可状態蓄積部３３に蓄積される。視聴中断の要因がなくなり、ユーザのサービス提供要求があった場合には、配信装置１に接続して、視聴不可状態の内容を通知し、該当コンテンツの配信を受けて受信処理を行い、これによって中断された放送コンテンツの再視聴が可能となる。【選択図】      図１
2010268486.tif 000002
【特許請求の範囲】
【請求項１】
放送データを取得し、前記放送データから放送コンテンツと当該放送コンテンツを解析し少なくとも時刻情報により管理する管理情報を生成して蓄積しておき、前記放送データのコンテンツ配信要求と条件情報に基づいて配信の可否を判断し、条件に合致した場合には該当する放送コンテンツを要求元に配信する配信装置と、
前記放送データの放送コンテンツ視聴途中で中断が発生して視聴不可状態となった場合に、その視聴不可状態の情報を蓄積しておき、中断された放送コンテンツの再視聴の要求があった場合に、前記配信装置に接続して前記コンテンツ配信要求及び条件情報を提示し、条件に合致した場合に前記配信装置から配信される放送コンテンツを受信して少なくとも中断箇所から提示する放送受信端末装置とを具備することを特徴とする放送コンテンツ配信システム。
【請求項２】
前記配信装置は、前記放送コンテンツにタイムスタンプを付加しておき、前記管理情報は前記タイムスタンプに基づいて前記放送コンテンツを管理することを特徴とする請求項１記載の放送コンテンツ配信システム。
【請求項３】
放送受信端末装置に放送データ中の放送コンテンツを提供する放送コンテンツ配信システムに用いられる配信装置であって、
前記放送データを取得する取得手段と、
前記放送データから放送コンテンツと当該放送コンテンツを解析し少なくとも時刻情報により管理する管理情報を生成して蓄積する管理手段と、
前記放送データのコンテンツ配信要求と条件情報に基づいて配信の可否を判断する判断手段と、
前記判断手段で条件に合致した場合に該当する放送コンテンツを要求元に配信する配信手段と
を具備することを特徴とする放送コンテンツ配信システムの配信装置。
【請求項４】
前記管理手段は、前記放送コンテンツにタイムスタンプを付加しておき、前記タイムスタンプに基づいて前記放送コンテンツを管理することを特徴とする請求項３記載の放送コンテンツ配信システムの配信装置。
【請求項５】
配信装置から放送データ中の放送コンテンツを提供する放送コンテンツ配信システムに用いられる放送受信端末装置において、
前記放送データを受信する受信手段と、
前記放送データの視聴不可状態を検知する検知手段と、
前記視聴不可状態が検知されたとき、その視聴不可状態の状況を示す視聴不可状態情報を蓄積する蓄積手段と、
前記視聴不可となって視聴が中断された放送データの再視聴要求があったとき、前記配信装置に接続して該当する放送コンテンツの再視聴要求を前記視聴不可状態情報と共に前記配信装置に出力する要求手段と、
前記再視聴要求に応答して前記配信装置から配信される放送コンテンツを受信し提示する提示処理手段と
を具備することを特徴とする放送コンテンツ配信システムの放送受信端末装置。
【請求項６】
前記配信される放送コンテンツにはタイムスタンプが付加されており、
前記提示処理手段は、前記視聴不可状態情報に示される中断時刻情報と前記タイムスタンプに基づいて前記放送コンテンツを視聴中断箇所から提示させることを特徴とする請求項５記載の放送コンテンツ配信システムの放送受信端末装置。
【発明の詳細な説明】
【技術分野】
【０００１】
本発明は、デジタル放送の放送受信端末装置に対する放送コンテンツの再配信を行う放送コンテンツ配信システムと、このシステムに用いられる配信装置及び放送受信端末装置に関する。
【背景技術】
【０００２】
昨今、電波で放送されるデジタル化が進み、映像関連データによるコンテンツを携帯端末、移動体搭載端末等の移動受信端末で受信することが一般化されている。また、ブロードバンドの普及により、通信回線を利用してＩＰ（Internet Protocol）放送、ビデオオンデマンド（以降、ＶＯＤという）サービスが盛んになってきている。一方で、従来の地上デジタル放送等で利用されているＴＳパケットを、通信回線を利用して配信するサービスも現れつつある。
【０００３】
ところで、移動受信端末でデジタル放送番組を視聴している最中に、電波が届かない場所に移動して、あるいは電池切れ等の事態が生じて、視聴していた番組が突然見られなくなる場合がある。このような中断に対し、従来では、視聴可能な状態に復帰しても、その場で途切れた箇所から番組を再視聴する手だてはなく、後の再放送を待たなければならなかった。
【０００４】
尚、特許文献１には、屋内で移動しながらでもデジタル放送番組を視聴できるように、デジタル放送受信装置で受信復調された移動体向け放送のＴＳパケットを屋内に再送して、移動受信端末でこれを受信するシステムが開示されている。また、特許文献２には、地上波デジタル放送を受信可能な携帯電話端末において、移動によって地上デジタル放送の受信地域が変わって番組の視聴ができなくなった場合に、携帯電話基地局から電子番組表を受け取り、この電子番組表から先の受信地域と同一放送番組を提供しているチャンネルに切り換えるデジタル放送受信装置が記載されている。但し、これらの文献には、視聴中断箇所から再視聴するための技術に関することは開示されていない。
【先行技術文献】
【特許文献】
【０００５】
【特許文献１】特開２００６−１６５９３４号公報
【特許文献２】特開２００５−０２６９１４号公報
【発明の概要】
【発明が解決しようとする課題】
【０００６】
以上述べたように、従来では、デジタル放送番組を視聴している最中に視聴していた番組が突然見られなくなるような中断に対し、途切れた箇所から番組を再視聴する手だてはなく、後の再放送を待たなければならなかった。
【０００７】
本発明は上記の課題を解決すべく、視聴中に中断されたデジタル放送番組の視聴を、少なくとも中断箇所から再視聴することを可能とする放送コンテンツ配信システムとこのシステムに用いられる配信装置及び放送受信端末装置を提供することを目的とする。
【課題を解決するための手段】
【０００８】
上記問題を解決するために、本発明に係る放送コンテンツ配信システムは、放送データを取得し、前記放送データから放送コンテンツと当該放送コンテンツを解析し少なくとも時刻情報により管理する管理情報を生成して蓄積しておき、前記放送データのコンテンツ配信要求と条件情報に基づいて配信の可否を判断し、条件に合致した場合には該当する放送コンテンツを要求元に配信する配信装置と、前記放送データの放送コンテンツ視聴途中で中断が発生して視聴不可状態となった場合に、その視聴不可状態の情報を蓄積しておき、中断された放送コンテンツの再視聴の要求があった場合に、前記配信装置に接続して前記コンテンツ配信要求及び条件情報を提示し、条件に合致した場合に前記配信装置から配信される放送コンテンツを受信して少なくとも中断箇所から提示する放送受信端末装置とを具備することを特徴とする。
【０００９】
すなわち、上記構成による放送コンテンツ配信システムでは、配信装置側で放送データを取得し、映像関連データ等の放送コンテンツ及び当該コンテンツの管理情報を生成して蓄積しておく。放送受信端末装置側で放送コンテンツを視聴不可状態となり、再視聴要求があったとき、配信装置は視聴不可があったことを条件に蓄積されている放送コンテンツを放送受信端末装置に配信する。これにより、ユーザは、番組に視聴中に電波が途切れたあるいは、不意な来客など何らかの事情で視聴ができない不利益な状態に陥った場合でも、番組を再視聴することができ、利便性の向上が図れる。
【発明の効果】
【００１０】
本発明によれば、視聴中に中断されたデジタル放送番組の視聴を、少なくとも中断箇所から再視聴することを可能とする放送コンテンツ配信システムとこのシステムに用いられる配信装置及び放送受信端末装置を提供することができる。
【図面の簡単な説明】
【００１１】
【図１】本発明に係る放送コンテンツ配信システムの一実施形態の構成を示すブロック図。
【図２】図１に示すシステムの受信端末における処理の流れを示すフローチャート。
【発明を実施するための形態】
【００１２】
以下、図面を参照して本発明の実施の形態を詳細に説明する。
【００１３】
図１は本発明に係る放送コンテンツ配信システムの一実施形態を示すブロック図である。図１に示すシステムは、放送コンテンツ配信装置１と、この配信装置１と通信回線２を介して接続される受信端末３とで構成される。
【００１４】
放送コンテンツ配信装置１において、受信処理部１１は、放送送信所Ｔから放送電波によって送信される放送データ、あるいは通信回線経由で伝送される放送データを受信復調して放送ＴＳ（Transport Stream）パケットを生成するもので、この放送ＴＳパケットはデータ生成処理部１２に送られる。
【００１５】
上記データ生成処理部１２は、受信処理部１１からの放送ＴＳパケットに対して、受信時刻に対応する４バイトのタイムスタンプ（以降、ＴＴＳという）を付加した後、サービスに不要なＮＵＬＬ等のパケットを排除し、映像関連データとして映像関連データ蓄積部１３に保管する。ＴＳＳは、２７ＭＨｚのクロックにより生成され、付加されたＴＳをパーシャルＴＳという。
【００１６】
また、上記データ生成処理部１２は、受信処理部１１から取得した放送ＴＳパケット、あるいは、ＴＴＳが付加された放送ＴＳパケット、あるいは、ＴＴＳが付加され、サービスに不要なＮＵＬＬ等が削除された放送ＴＳパケットを解析し、番組の名称、概要、開始時刻、終了時刻を示す時刻範囲情報を取得し、映像関連データ蓄積部１３に保管されるデータの開始・終了位置を示す番組範囲情報を生成し、映像関連データと紐づける形で管理情報蓄積部１４に保管する。
【００１７】
ここで、番組の名称、概要、時刻範囲情報を取得する場合、放送ＴＳパケット中のＥＩＴ（Event Information Table）パケットを利用するとよい。この他、放送ＴＳパケット中のＮＩＴ（Network ID Table）、ＢＩＴ（Broadcaster Information table）、ＳＤＴ（Service Description table）の情報から必要に応じて管理情報を生成するとよい。
【００１８】
また、配信装置１において、サービス処理部１５は、通信回線２を介して受信端末３のサービス連携部３４からの認証要求とデータ要求を受け付ける。そして、サービス提供登録対象者としての認証が得られた場合には、少なくともデータ要求に付加されるデータ受信が不可能となった時刻情報を受け取り、この時刻情報をもとに管理情報蓄積部１４に保管されている情報と照合して、視聴不可となったか否かを判定する。確かに要求された受信端末が視聴不可であったと判定した場合は、受信端末２に視聴可能である旨の通知及び、ＩＰ送出関連情報を受信端末３に送付し、ＩＰ送出処理部１６に対象となる映像関連データの送出要求を行う。
【００１９】
ここで、受信端末３に視聴可能である旨の通知を行い、受信端末３からの視聴要求を受け付けた後、ＩＰ送出関連情報を受信端末３に送付し、ＩＰ送出処理部１６に送出要求を行ってもよい。また、ＩＰ送出関連情報を送り、受信端末３からのＩＰ送出要求を別途受け付けるようにしてもよい。
【００２０】
一方、受信端末３において、受信処理部３１は、放送送信所Ｔから放送電波によって送信される放送データ、あるいは通信回線経由で伝送される放送データを受信復調して放送ＴＳパケットを生成し、図示しない提示部に送出する。この提示部では、放送ＴＳパケットから映像関連データを取り出してデコードし、映像・音声の形態で提示する。
【００２１】
上記受信処理部３１の受信状況は、視聴不可状態検知処理部３２によって監視される。すなわち、この視聴不可状態検知処理部３２は、受信処理部３１におけるデータ受信の有無を監視し、データ受信が不可能となった時刻情報、データ受信が可能となった時刻情報、視聴対象となるデータ情報を生成して視聴不可状態蓄積部３３に保管する。ここで、対象となるデータ情報を生成する場合、放送ＴＳパケット中のＮＩＴ、ＢＩＴ、ＳＤＴ、ＥＩＴパケット等を利用するとよい。ここでいう視聴不可状態とは、実際に放送データが受からなくなったり、放送データのエラー発生があったりして視聴できなくなるケース以外にも、ユーザ側で急に視聴できなくなって受信を中断させる場合も含まれるものとする。
【００２２】
視聴不可によって中断が生じた後、ユーザの再視聴要求があったとき、サービス連携部３４は視聴要求を受け付け、視聴不可状態蓄積部３３から対象となるデータ情報を取得し、一覧表示した後、視聴選択し、あるいは時間帯などによる視聴選択することにより対象の映像関連データを特定し、通信回線２を経由して配信装置１のサービス処理部１５に視聴要求を行う。この際、視聴不可状態蓄積部３３で保管されているデータ受信不可能時刻情報、データ受信可能時刻情報、視聴対象となるデータ情報を配信装置１に送付する。また、視聴不可となった時刻情報等を配信装置１に送り、視聴可能対象の番組データを取得して選択するようにしてもよい。
【００２３】
サービス連携部３４の視聴要求に応答して、配信装置１のＩＰ送出処理部１６から通信網２を経由してＩＰパケットの送信があると、受信装置３ではＩＰパケット処理部３５において、配信装置１から通信回線２を介して伝送される映像関連データを受け付け、ＩＰパケットの順序補正、パケット欠落補正などのデータ復元を行い、ＴＴＳ付ＴＳパケットデータの生成を行う。
【００２４】
ＴＴＳ付ＴＳパケット処理部３６は、ＩＰパケット処理部３５からＴＴＳ付ＴＳパケットデータを取得し、ＴＴＳの情報をもとにＴＳパケットを再現する。提示処理部３７は、ＴＴＳ付ＴＳパケット処理部３５からＴＳパケットを取得し、ディスプレイ等の提示装置（図示せず）に発行する。この際、映像データが暗号化されている場合、復号処理を行う。また、対象となる映像データが暗号化され、サービス連携部３４で取得したＩＰ送出関連情報内に暗号化された映像データを復号するための鍵情報が含まれている場合には、この鍵情報を取得し復号するようにしてもよい。
【００２５】
上記構成において、以下に一連の処理の流れを説明する。
【００２６】
まず、配信装置１では、サービス対象となる放送データを取得すると、この放送データから映像関連データと管理情報を作成し、それぞれの蓄積部１３，１４に蓄積しておく。そして、受信端末３からサービス提供の要求とその視聴不可状態情報を受けると、管理情報蓄積部１４を参照して該当する映像関連データを割り出し、その映像関連データを蓄積部１３から読み出して、ＩＰ送出処理部１６から要求元の受信端末３に送出する。
【００２７】
一方、受信端末３の受信処理は図２に示すようになる。まず、受信処理部３１でユーザ指定の選局により放送番組が受信されているとする（ステップＳ１）。この状態で、視聴不可状態検知処理部３２では、受信データの取得状況から視聴不可の発生を監視している（ステップＳ２）。何らかの要因で視聴不可となった場合、視聴不可状態の情報が視聴不可状態蓄積部３３に蓄積される（ステップＳ３）。視聴中断の要因がなくなり、ユーザのサービス提供要求があった場合には（ステップＳ４）、配信装置１に接続して（ステップＳ５）、視聴不可状態の内容を通知し（ステップＳ６）、該当コンテンツの配信を受けて受信処理を行い（ステップＳ７）、これによって中断された放送コンテンツの再視聴が可能となる。
【００２８】
すなわち、上記構成による放送コンテンツ配信システムでは、放送等で利用されているＴＳパケットを取得し、映像関連データ及び、当該映像関連データと紐尽く管理情報を生成して蓄積しておき、映像関連データを携帯端末等の受信端末で視聴不可状態となったことを判定し、蓄積されている映像関連データを通信回線２を利用して配信する配信装置１及び、受信端末３を備える。これにより、ユーザは、番組に視聴中に電波が途切れたあるいは、不意な来客など何らかの事情で視聴ができない不利益な状態に陥った場合でも、通信回線２を利用し、番組を再視聴することができ、利便性の向上が図れる。
【００２９】
したがって、上記構成による放送コンテンツ配信システムによれば、受信端末側は、何らかの原因で視聴が中断するような状況になっても、復帰時に中断時点の状況に対応する放送コンテンツの配信を受けることができ、利便性を向上させることができる。
【００３０】
尚、本発明は上記実施形態そのままに限定されるものではなく、例えば放送データ以外に、音楽系データ、文字系データの配信でも同様に実施可能であり、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００３１】
１…配信装置、１１…配信装置受信処理部、１２…データ生成処理部、１３…映像関連データ蓄積部、１４…管理情報蓄積部、１５…サービス処理部、１６…ＩＰ送出処理部、２…通信回線、３…受信端末、３１…受信端末受信処理部、３２…視聴不可状態検知処理部、３３…視聴不可状態蓄積部、３４…サービス連携部、３５…ＩＰパケット処理部、３６…ＴＴＳ付きＴＳパケット処理部、３７…提示制御部。
【図１】
2010268486.tif 000003
【図２】
2010268486.tif 000004
【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
放送された放送データを取得し、前記放送データから番組単位の放送コンテンツを取り出して蓄積しておき、前記放送データ中の任意の番組の放送コンテンツの配信要求を受け付け、少なくともその要求番組の放送中に視聴が不可となったことを示す視聴不可情報が提示されることを条件に、配信要求された番組の放送コンテンツ全体を要求元に配信する配信装置と、
前記放送データを受信して当該放送データ中からユーザ指定の番組の放送コンテンツを提示する放送受信端末装置とを具備し、
前記放送受信端末装置は、前記放送コンテンツの提示中にその放送コンテンツが視聴不可となったことを検知した場合に、その番組の放送コンテンツについて視聴不可となったことを示す視聴不可情報を蓄積しておき、視聴不可となった番組の放送コンテンツに対する再視聴の指示入力があった場合に、前記配信装置に接続して前記指示された番組の放送コンテンツの配信を要求すると共に前記視聴不可情報を提示し、前記配信装置から配信される番組の放送コンテンツ全体を受信して指定箇所から提示することを特徴とする放送コンテンツ配信システム。
【請求項２】
前記配信装置は、前記番組単位の放送コンテンツにそれぞれについて前記番組の放送時間情報を含む番組範囲情報に基づいて管理し、前記視聴不可情報として視聴不可となった時刻情報が提示されるとき、前記配信要求番組の番組範囲情報と前記視聴不可となった時刻情報とを比較照合することで、前記配信要求番組が試聴不可となった番組か否かを判断することを特徴とする請求項１記載の放送コンテンツ配信システム。
【請求項３】
放送された放送データ中の番組単位の放送コンテンツを提供する放送コンテンツ配信システムに用いられる配信装置であって、
前記放送データを取得する取得手段と、
前記放送データから番組単位の放送コンテンツを取り出して蓄積する蓄積手段と、
前記放送データ中の任意の番組の放送コンテンツの配信要求を受け付ける受付手段と、
前記配信要求と共に提示され、少なくともその配信要求する番組の放送中に視聴が不可となったことを示す視聴不可情報に基づいて配信の可否を判断する判断手段と、
前記判断手段で配信可と判断された場合に該当する番組の放送コンテンツを要求元に配信する配信手段と
を具備することを特徴とする放送コンテンツ配信システムの配信装置。
【請求項４】
前記蓄積手段は、前記番組単位の放送コンテンツにそれぞれについて前記番組の放送時間情報を含む番組範囲情報に基づいて管理し、
前記判断手段は、前記視聴不可情報として視聴不可となった時刻情報が提示されるとき、前記配信要求番組の番組範囲情報と前記視聴不可となった時刻情報とを比較照合することで、前記配信要求番組が試聴不可となった番組か否かを判断することを特徴とする請求項３記載の放送コンテンツ配信システムの配信装置。
【請求項５】
放送された放送データ中の番組単位の放送コンテンツを提供する配信装置を備える放送コンテンツ配信システムに用いられる放送受信端末装置において、
前記放送データを受信する受信手段と、
前記受信された放送データからユーザ指定の番組の放送コンテンツを取り出し提示する提示手段と、
前記放送コンテンツの提示中にその放送コンテンツが視聴不可となったことを検知する検知手段と、
前記視聴不可が検知されたとき、その視聴不可の状況を示す視聴不可情報を蓄積する蓄積手段と、
前記視聴不可となった番組の放送コンテンツに対する再視聴の指示入力があったとき、前記配信装置に接続して前記指示された番組の放送コンテンツの配信を要求する要求手段と、
前記配信要求に応答して前記配信装置から配信される指定番組の放送コンテンツ全体を受信して指定箇所から提示する提示手段と
を具備することを特徴とする放送コンテンツ配信システムの放送受信端末装置。
【請求項６】
前記配信装置が、前記番組単位の放送コンテンツにそれぞれについて前記番組の放送時間情報を含む番組範囲情報に基づいて管理するとき、前記視聴不可情報として視聴不可となった時刻情報を提示し、前記配信装置側で前記配信要求番組の番組範囲情報と前記視聴不可となった時刻情報とを比較照合することで、前記配信要求番組が試聴不可となった番組か否かを判断することを特徴とする請求項５記載の放送コンテンツ配信システムの放送受信端末装置。